(57)【要約】  本発明の多重選択シェードシステムは、本体と、該本体に回転可能に支持された第１巻取ローラと、前記本体に回転可能に支持されており、前記第１巻取ローラから離隔して形成された第２巻取ローラと、互いに結合された複数のシートを有する多重選択シェード要素と、前記第１巻取ローラ及び前記第２巻取ローラの少なくとも１つを回転させる作動手段とを備える。前記多重選択シェード要素は、前記第１巻取ローラに固定された第１端及び前記第２巻取ローラに固定された第２端を備える。また、前記多重選択シェード要素は、前記作動手段によって第１巻取ローラ及び前記第２巻取ローラが回転し、前記第１巻取ローラと前記第２巻取ローラとの間に広がるシートのうちの１つを、目標領域から巻き上げるか目標領域まで広げる。【選択図】図１
2008545076.tif 000002
【特許請求の範囲】
【請求項１】
本体と、
該本体に回転可能に支持された第１巻取ローラと、
前記本体に回転可能に支持されており、前記第１巻取ローラから離隔して形成された第２巻取ローラと、
互いに結合された複数のシートを有し、前記第１巻取ローラに固定された第１端及び前記第２巻取ローラに固定された第２端を有し、前記第１巻取ローラ及び前記第２巻取ローラを回転させ、前記第１巻取ローラと前記第２巻取ローラとの間に広がるシートのうちの１つを、目標領域から巻き上げるか目標領域まで広げる多重選択シェード要素と、
前記第１巻取ローラ及び前記第２巻取ローラの少なくとも１つを回転させる作動手段と
を備えることを特徴とする多重選択シェードシステム。
【請求項２】
前記第２巻取ローラが、前記第１巻取ローラに連動するように結合され、第１巻取ローラと同時に回転することを特徴とする請求項１に記載の多重選択シェードシステム。
【請求項３】
前記第１巻取ローラに取り付けられた第１歯車部と、
前記第２巻取ローラに取り付けられた第２歯車部とを更に備え、
前記第１歯車部と前記第２歯車部とが互いに直接噛み合って反対方向に同時に回転することを特徴とする請求項２に記載の多重選択シェードシステム。
【請求項４】
前記第１巻取ローラ及び前記第２巻取ローラが互いに上下に配置され、前記多重選択シェード要素が前記第１巻取ローラ及び前記第２巻取ローラに吊るされ、一般的なＵ状の下端部を形成することを特徴とする請求項１に記載の多重選択シェードシステム。
【請求項５】
前記多重選択シェード要素のＵ状の下端部に吊るされるウエイト部材を更に備えることを特徴とする請求項４に記載の多重選択シェードシステム。
【請求項６】
前記多重選択シェード要素のＵ状の下端部に位置する下部ウエイト部材と、
ガイド棒に吊るされ、前記ガイド棒に対して移動する吊下体と
を更に備えることを特徴とする請求項４に記載の多重選択シェードシステム。
【請求項７】
前記ガイド棒がホイールを装着し、前記吊下体が垂直方向に延長可能なガイドスロットを備え、前記ガイド棒のホイールが滑動するようにすることを特徴とする請求項６に記載の多重選択シェードシステム。
【請求項８】
前記作動手段が、
回転手段と部分的に噛み合ってプルコードを下方に引っ張るとき、前記回転手段が前記第２巻取ローラと共に回転するようにするプルコードと、前記第２巻取ローラに連結される回転部材とを備えることを特徴とする請求項１に記載の多重選択シェードシステム。
【請求項９】
前記作動手段が、
電力を用いて前記第１巻取ローラ及び第２巻取ローラを回転させるモータユニットを更に備えることを特徴とする請求項１に記載の多重選択シェードシステム。
【請求項１０】
前記多重選択シェード要素が、互いに異なる平面シートで構成されることを特徴とする請求項１に記載の多重選択シェードシステム。
【請求項１１】
前記多重選択シェード要素が、少なくとも１つの平面シート及びプリーツシートからなることを特徴とする請求項１に記載の多重選択シェードシステム。
【請求項１２】
前記多重選択シェード要素が、少なくとも１つの平面シート及びローマンシートからなることを特徴とする請求項１に記載の多重選択シェードシステム。
【発明の詳細な説明】
【技術分野】
【０００１】
本発明は、多重選択シェードシステムに関し、より具体的には、一対の巻取ローラに吊るされて開閉可能な互いに異なる複数のシートを備えるシェード要素を用いて目標領域を遮る多重選択シェードシステムに関する。
【背景技術】
【０００２】
一般的に、住宅やオフィスなどでは、プライバシー保護、遮光、暖房などのため、カーテンや窓用ブラインドが用いられてきている。しかし、シェード装置を手動で開閉する場合は、やや不便であった。そのため、最近では、モータ及び動力伝達機構を備え、モータの動作により遮光スラットを上下に自動昇降させることが可能な種々の電動シェードシステムが開発されている。このため、巻取装置及びシェード構成要素が様々な形で開発されている。
【０００３】
しかしながら、このような使用上の利便性が向上したにもかかわらず、従来のシェードシステムでは、依然としてユーザのニーズを満たすことができない。特に、装飾シェード生地を用いたシェードシステムが、そうである。これに適用されるシェード生地は、そのほとんどが、１つの色、パターン、及び材質などで実現されることから、シェードシステムの周囲の雰囲気を変えようとするユーザのニーズを満たすためには、シェードシステムの全体を取り替えなければならない。しかし、シェード生地全体を取り替えることは容易ではなく、手間や費用がかかる問題があった。
【発明の開示】
【発明が解決しようとする課題】
【０００４】
そこで、本発明は、上記のような従来のシェードシステムにおける諸問題に鑑みてなされたものであって、その目的は、ユーザにとって、シェード要素の色、パターン、及び材質をいつでも手軽かつ便利な方式で入れ替えられるようにすることにある。
【０００５】
本発明の他の目的は、シェード要素を目標領域に急速に広げるか目標領域から巻き上げる多重選択シェードシステムを提供することにある。
【０００６】
本発明のさらなる目的は、シェード要素が、遮光のための目的にとどまらず、広告、広報、又はプロジェクション用のスクリーンとして使用可能な多重選択シェードシステムを提供することにある。
【課題を解決するための手段】
【０００７】
上記課題を解決するため、本発明は、本体と、該本体に回転可能に支持された第１巻取ローラと、前記本体に回転可能に支持されており、前記第１巻取ローラから離隔して形成された第２巻取ローラと、互いに結合された複数のシートを有し、前記第１巻取ローラに固定された第１端及び前記第２巻取ローラに固定された第２端を有し、前記第１巻取ローラ及び前記第２巻取ローラを回転させ、前記第１巻取ローラと前記第２巻取ローラとの間に広がるシートのうちの１つを、目標領域から巻き上げるか目標領域まで広げる多重選択シェード要素と、前記第１巻取ローラ及び前記第２巻取ローラの少なくとも１つを回転させる作動手段とを備える多重選択シェードシステムを提供する。
【０００８】
本発明の上記及び他の目的及び特徴は、添付の図面に基づいた好ましい実施形態から更に明確になるであろう。
【発明を実施するための最良の形態】
【０００９】
以下、添付の図面を参照して、本発明の実施形態に係る多重選択シェードシステムについて詳細に説明する。
【００１０】
図１、図２、図３（ａ）及び図３（ｂ）は、本発明に係る多重選択シェードシステムの概略的な斜視図、分解斜視図、左側面図及び右側面図である。図７は、図１の多重選択シェードシステムの概略的な正面図である。
【００１１】
図示のように、本発明に係る多重選択シェードシステム１００は、シェード本体５０と、該シェード本体５０に回転可能に支持された第１巻取ローラ１０と、該第１巻取ローラ１０から離隔して前記シェード本体５０に回転可能に支持され、前記第１巻取ローラ１０に連動して回転する第２巻取ローラ２０と、前記第１巻取ローラ１０と前記第２巻取ローラ２０との間に広がる多重選択シェード要素３０と、前記第１巻取ローラ１０と前記第２巻取ローラ２０とを、前記シェード要素３０のシートのうちの１つが遮る目標領域まで広げられるか目標領域まで巻き上げられるように回転させる作動器とを備える。
【００１２】
前記第１巻取ローラ１０の一側又は両側には、第１歯車部１１が装着される。また、単一の第１歯車部が、前記第１巻取ローラ１０の一方の軸端に装着可能である。前記第１巻取ローラ１０には、前記多重選択シェード要素３０の一方の固定端３１が挿入固定される軸方向延長スロット１２が形成される。
【００１３】
更に、前記第１歯車部１１の各々に対応し、逆方向に同時に回転する第２歯車部２１が、第２巻取ローラ２０の軸端に固定されている。また、単一の第２歯車部が、第２巻取ローラ２０の一方の軸端に装着可能である。前記第２巻取ローラ２０は、軸方向延長スロット２２を有する。このスロットには、前記多重選択シェード要素３０の他方の固定端３１が挿入固定される。
【００１４】
前記第１歯車部１１及び第２歯車部２１の位置に、チェーンスプロケット及びベルトプーリのような他種の伝達機構が、前記第１巻取ローラ１０と前記第２巻取ローラ２０とを連動させる手段として適用可能である。好ましくは、前記第１歯車部１１及び前記第２歯車部２１は、内部にボールチェーン又はボールコード（ｂａｌｌ  ｃｏｒｄ）が巻き取られるチェーンホイールで構成される。
【００１５】
前記多重選択シェード要素３０は、ストリップが延びた形状であり、複数のシートが末端間において前記多重選択シェード要素３０の長手方向に延在してなる。ユーザの必要に応じて前記シートのうちの１つを選択して、前記第１巻取ローラ１０及び前記第２巻取ローラ２０を後述する方法によって作動させて目標領域まで広げる。
【００１６】
前記多重選択シェード要素３０は、様々な種類の生地、例えば、不透明生地（ｏｐａｑｕｅ  ｆａｂｒｉｃ）、透明生地（ｔｒａｎｓｐａｒｅｎｔ  ｆａｂｒｉｃ）、不透明生地及び透明生地の混合生地、模様入りの生地（ｐａｔｔｅｒｎｅｄ  ｆａｂｒｉｃ）、色付き生地（ｃｏｌｏｒｅｄ  ｆａｂｒｉｃ）、広告デザイン入りの生地などからなる。ここで、「生地（ｆａｂｒｉｃ）」とは、遮光のために、従来用いられてきた紙や布などを指す。
【００１７】
一方の固定端３１は、第１巻取ローラ１０の軸方向延長スロット１２に挿入固定され、他方の固定端３１は、第２巻取ローラ２０の軸方向延長スロット２２に挿入固定される。前記多重選択シェード要素３０は、前記第１巻取ローラ１０及び第２巻取ローラ２０に吊るされた中央部を含み、一般的にＵ状のループを形成する。
【００１８】
前記シートを任意に組み合わせてなる前記多重選択シェード要素３０は、遮る目標領域の２．５倍、３倍及び４倍などの長さに形成することができる。前記多重選択シェード要素３０は、第１巻取ローラ１０及び第２巻取ローラ２０によって開閉されるように形成され得る。したがって、ユーザは、前記多重選択シェード要素３０の光透過量や、色、模様などを自由自在に変えることができる。
【００１９】
また、前記作動器は、第１巻取ローラ１０及び第２巻取ローラ２０を回転させ、多重選択シェード要素の巻上げ、巻戻し、及び前記多重選択シェード要素３０の長さを調節するためのものであって、前記作動器は、回転部材４１と、プルコード４２とからなる。添付の図面に基づいた実施形態から明らかなように、前記回転部材４１は、前記第２巻取ローラ２０に取り付けられたチェーンホイールで構成される。若しくは、前記回転部材４１は、前記第１巻取ローラ１０と、第１歯車部１１又は第２歯車部２１とに連結される。また、前記プルコード４２は、ボールチェーンで形成され、前記回転部材４１は、前記ボールチェーンに対応するチェーンホイールで形成され、プルコード４２は、回転部材４１に連結されて回転する。前記作動器によるシェード要素の作動は、本発明の技術分野における当業者によって容易に実現可能であり、本発明の図面は、その一実施形態として、第２巻取ローラ２０の第２歯車部２１に回転部材４１が連結され実現されることを示すものである。
【００２０】
また、前記多重選択シェードシステムは、前記多重選択シェード要素３０の下部に結合するウエイトガイド部材６０を更に備える。前記ガイド部材６０は、前記多重選択シェード要素３０を同時に滑動させる一方、前記多重選択シェード要素３０に張力（ｔｅｎｓｉｌｅ  ｆｏｒｃｅ）を与える。これにより、前記シェード要素３０は、巻上げ又は巻戻しをする際、しわ寄せがなく、効果的な遮光機能を実現する。
【００２１】
上述した構造のシェードシステムのユーザは、前記多重選択シェード要素３０のシートのうちの１つを選択して、前記目標領域まで広げ（例えば、窓の上）、現在装飾されているシートをいつでも新たなものに入れ替えることができる。
【００２２】
以下では、図４、図５及び図６を参照して、本発明の実施形態に係る前記多重選択シェードシステムの作動方法を説明する。
【００２３】
図４に示すように、前記多重選択シェードシステム１００において、前記作動器のプルコード４２のうち、後方のコード（矢印方向）を引っ張ると、前記第２巻取ローラ２０は、左側を基準として反時計方向に回転し、前記第１歯車部１１と第２歯車部２１とが噛み合うことにより、第１巻取ローラ１０は、第２巻取ローラ２０の反時計回りに連動して時計方向に回転する。このとき、前記第２巻取ローラ２０に巻き取られた多重選択シェード要素３０（Ｐ１）は巻き戻され、多重選択シェード要素３０（Ｐ２）は前記第１巻取ローラに巻き上げられる。したがって、前記第２巻取ローラ２０に巻き取られた多重選択シェード要素３０（Ｐ１）は広がりながら下降し、広がっていた前記多重選択シェード要素３０（Ｐ２）は前記第１巻取ローラ１０に巻き上げられる。前記多重選択シェード要素３０は、図４の矢印で示すように、同時に巻き戻し及び巻き上げられ、現在装飾されている多重選択シェード要素３０のシートが目標領域から排除され、新たなシートが前記第２巻取ローラ２０から巻き戻されて前記目標領域を覆う。まず、新たなシートが、第２巻取ローラ２０から目標領域まで完全に広がったら、ユーザは、前記プルコード４２を離して新たなシートをその位置に保持させる。
【００２４】
これとは逆に、図５に示すように、前記作動器のプルコード４２のうち、前方のコードを矢印方向に引っ張ると、前記第２巻取ローラ２０は、左側を基準として時計方向に回転する。これにより、第１巻取ローラ１０は、第２巻取ローラ２０に噛み合って反時計方向に回転する。このとき、前記第１巻取ローラ１０に巻き取られた多重選択シェード要素３０（Ｐ２）は巻き戻され、多重選択シェード要素３０（Ｐ１）は前記第２巻取ローラ２０に巻き上げられる。前記多重選択シェード要素３０は、前記図５の矢印で示すように、逆方向に同時に巻き戻し及び巻き上げられ、現在装飾されている前記多重選択シェード要素３０のシートが目標領域から排除され、新たなシートが前記第１巻取ローラ１０から巻き戻されて前記目標領域を覆う。新たなシートが、第１巻取ローラ１０から前記目標領域まで完全に広がったら、ユーザは、前記プルコード４２を離して前記新たなシートをその位置に保持させる。
【００２５】
こうすることにより、ユーザは、多重選択シェード要素３０の一体形成されたシートから１つを選択して遮光位置に持ち込むことができる。また、図１〜図７に示すように、前記多重選択シェード要素３０において、透明ストライプ及び不透明ストライプが交互に配列された場合、ストライプパターンに光を透過させ、前記多重選択シェードシステムを公演会場などで装飾ディスプレイスクリーンとして使用することができる。
【００２６】
更に、前記多重選択シェード要素３０は、その両側面に文言や絵柄を印刷して各々別途に表示可能にすることで、本来の遮光効果のほかに、広告及びお知らせの効果を演出することも可能である。このような本発明の種々の変形例は、当業者によって容易に実現可能であり、これらも本発明の技術範囲に属する。
【００２７】
また、図４に示すように、プルコード４２のうち、後方のプルコードを矢印方向に引っ張り続けると、前記第２巻取ローラ２０は、左側を基準として反時計方向に回転し、第２巻取ローラ２０に巻き取られた多重選択シェード要素３０を完全に巻き戻すと、図６に示すように、第２巻取ローラ２０が回転し続けて逆方向に巻き上げられる。したがって、前記多重選択シェード要素３０（Ｐ１、Ｐ２）は、第１巻取ローラ１０及び第２巻取ローラ２０にそれぞれ巻き取られる。これにより、ウエイトガイド部材６０は上昇し、シェイド要素が巻き上げられる。また、完全に巻き取られた後、前方のコードを再び引っ張ると、前記第１巻取ローラ１０及び第２巻取ローラ２０は同時に巻き戻され、前記多重選択シェード要素３０が下降し、図５に示すように、所定の長さ以上で、第１巻取ローラ１０は巻戻し方向、第２巻取ローラ２０は巻上げ方向に回転する。
【００２８】
これとは逆に、前方のプルコードを引っ張り続け、シェード要素のシートを巻き上げるか広げることも可能である。これに関し、図８を用いて、本発明の実施形態を詳細に説明する。
【００２９】
前述のように、第１巻取ローラ１０及び第２巻取ローラ２０にそれぞれ巻上げ及び巻き戻される多重選択シェード要素３０の長さ及び各々の巻取量の設定は、本発明の技術分野における当業者によって容易に実現可能であり、反復的な試験及び実施により種々の変形例が実現可能であり、これらも本発明の範囲に属する。
【００３０】
前記多重選択シェード要素３０は、前記第１巻取ローラ１０及び第２巻取ローラ２０の２つによって同時に昇降されることから、１つの巻取ローラに比べてその昇降動作は速い。
【００３１】
図８（ａ）〜図８（ｄ）は、本発明の第１実施形態に係る多重選択シェードシステムに対する概略的な構造及び使用状態図である。図示のように、前記多重選択シェードシステム２００は、シェード要素が、第１ストライプパターンシート２３０ａ及び第２無パターンシート２３０ｂからなる点を除けば、前記実施形態と同じ構造を有する。
【００３２】
図８（ａ）は、シェードの初期段階を示すものであって、プルコード２４２を引っ張って第１巻取ローラ及び第２巻取ローラを回転させる場合、第１ストライプパターンシート２３０ａが下方に広がる。図８（ｂ）は、第１ストライプパターンシート２３０ａが完全に広がった状態を示すものであり、図８（ｃ）は、その後、プルコード２４２を引っ張り続けた場合、第２巻取ローラに巻き取られていた第２無パターンシート２３０ｂが半分程度下降し、第１ストライプパターンシート２３０ａ及び第２無パターンシート２３０ｂが共に広がった状態を示すものであり、図８（ｄ）は、第１シート２３０ａが上方に巻き上げられ、第２無パターンシート２３０ｂが目標領域まで完全に広がった状態を示すものである。また、前記シェード要素は、本発明の実施形態に限定されず、様々な形態で実現可能であり、このような実現により、ユーザは、使用目的に応じて選択的に巻き戻して使用することができる。
【００３３】
図９（ａ）〜図９（ｄ）は、本発明の第２実施形態に係る多重選択シェードシステムに対する概略的な構造及び使用状態図である。図示のように、前記多重選択シェードシステム３００も、基本的に、第１巻取ローラ、第２巻取ローラ、多重選択シェード要素、及び作動器を備える構成と、前記第１巻取ローラ及び第２巻取ローラの連動回転により、多重選択シェード要素の選択的な遮光が可能な技術構成において、多重選択シェード要素が、プリーツシート３３０ａ及び平面シート３３０ｂからなる点を除けば、第１実施形態と同様である。
【００３４】
より具体的には、図９（ａ）は、シェードを広げる初期段階を示すものであって、プルコード３４２を矢印方向に引っ張って第１巻取ローラ及び第２巻取ローラを回転させる場合、下部支持台３４３に連結された巻線３３１が第２巻取ローラから巻き戻され、プリーツシート３３０ａが下方に広がる。図９（ｂ）は、プリーツシート３３０ａが完全に広がった状態を示すものであり、図９（ｃ）は、その後、プルコード３４２を矢印方向に引っ張り続けた場合、それによって巻線が巻き取られ、プリーツシート３３０ａが上方に巻き上げられ、平面シート３３０ｂが第１巻取ローラから巻き戻され、プリーツシート３３０ａ及び平面シート３３０ｂが共に広がった状態を示すものであり、図９（ｄ）は、プリーツシート３３０ａが上方に巻き上げられ、平面シート３３０ｂが完全に広がった状態を示すものである。
【００３５】
図１０（ａ）〜図１０（ｃ）は、本発明の第３実施形態に係る多重選択シェードシステムに対する概略的な構造及び使用状態図である。図示のように、前記多重選択シェードシステム４００も、基本的に、第１巻取ローラ、第２巻取ローラ、多重選択シェード要素、及び作動器を備える構成と、前記第１巻取ローラ及び第２巻取ローラの連動回転により、多重選択シェード要素の選択的な遮光が可能な技術構成において、第１実施形態と同様である。ただし、多重選択シェード要素は、ローマンシート４３０ａ及び平面シート４３０ｂからなる。前述のように、ユーザは、プルコード４３２を引っ張って選択的にローマンシート４３０ａ又は平面シート４３０ｂを上下に昇降させて、所望のシートによって遮ることができる。
【００３６】
より具体的には、図１０（ａ）は、ローマンシート４３０ａが完全に広がった状態を示すものであり、図１０（ｂ）は、ローマンシート４３０ａが上方に巻き上げられ、平面シート４３０ｂが第１巻取ローラから巻き戻され、ローマンシート４３０ａ及び平面シート４３０ｂが共に広がった状態を示すものであり、図１０（ｃ）は、ローマンシート４３０ａが上方に巻き上げられ、平面シート４３０ｂが完全に広がった状態を示すものである。
【００３７】
図１１（ａ）〜図１１（ｄ）は、本発明の第４実施形態に係る多重選択シェードシステムに対する概略的な構造及び使用状態図である。本技術構成も、シェード要素が、第１エンブレム入りシート５３０ａ及び第２エンブレム入りシート５３０ｂからなる点を除けば、第１実施形態と同様である。図示のように、本発明の第４実施形態に係る前記多重選択シェードシステム５００は、様々な広報及び広告に用いられる。
【００３８】
図１１（ａ）は、プルコード５４２を下方に引っ張って前記第１巻取ローラ及び第２巻取ローラを回転させて前記シェード要素が下方に広がったシェード要素の初期状態を示す。図１１（ｂ）は、前記第１エンブレム入りシート５３０ａが、目標領域上に完全に広がり、前記ウエイトガイド部材によって保持されている状態を示す。図１１（ｃ）は、第１エンブレム入りシート５３０ａが後方に巻き上げられて上昇し、第２エンブレム入りシート５３０ｂは下方に広がり、第１エンブレム入りシート５３０ａ及び第２エンブレム入りシート５３０ｂが部分的に広がった状態を示すものであり、図１１（ｄ）は、第２エンブレム入りシート５３０ｂが下降して目標領域上に広がった状態を示すものである。
【００３９】
こうすることにより、ユーザは、選択的に広報又は広告を展示することができ、前記第１エンブレム入りシート及び第２エンブレム入りシートは、互いに反対方向の広報又は広告物を含むように実現されている。必要な場合、モータ及び制御システムを更に備えることで、一定時間及び一定間隔で広報物が印刷されたシートに転換して使用可能である。
【００４０】
図１２は、本発明の第５実施形態に係る多重選択シェードシステムに対する概略的な構造及び使用状態図である。図示のように、本発明に係る多重選択シェードシステム６００は、ＦＴＳ（Ｆａｂｒｉｃ  Ｔｅｎｓｉｏｎ  Ｓｙｓｔｅｍ）として使用可能である。
【００４１】
前記ＦＴＳは、天井型シェード又はブラインドといわれ、垂直型のロールブラインドを、傾斜窓や水平の天窓に用いるために開発された製品であって、生地のたるみ現象を防ぐため、２つのモータを両側に１つずつ設置する。また、前記ＦＴＳは、一般的な垂直窓ではなく、傾斜窓、水平窓、天窓、曲面窓など、特殊現場の紫外線と太陽熱を遮るためのシステムである。また、両側にモータをそれぞれ設置して生地を完全に引っ張るが、この張力は制御器で制御するように設計されている。前記ＦＴＳは、本発明に係る多重選択シェードシステムとして実現することにより、１つのモータで実現されるため、コストダウンを図ることができる。しかも、１つのシェードシステムにおいて２つ以上の異なる生地を演出することができる。
【００４２】
図１３は、本発明の第６実施形態に係る多重選択シェードシステムに対する概略的な構造及び使用状態図であり、図１４は、図１３に示す多重選択シェードシステムの下部ウエイト部材の概略的な分解斜視図である。図示のように、第６実施形態に係る多重選択シェードシステム７００は、第１巻取ローラ７１０及び第２巻取ローラ７２０を回転させるモータユニット７４０と、前記ウエイトガイド部材と構造的に異なる下部ウエイト部材７６０とが提供される点を除けば、前記第１実施形態の構成と同様である。
【００４３】
前記モータユニット７４０は、シェード要素の昇降作動を電動で実現するためのものであって、モータと、リモートコントローラとを備えてなる。また、前記下部ウエイト部材７６０は、ガイド棒７６２と、吊下体（ｓｕｓｐｅｎｄｉｎｇ  ｂｏｄｙ）７６１とを備えてなる。前記ガイド棒７６２は、シェード要素７３０に結合してシェード要素７３０が上下に昇降する場合、自重によりシェード要素７３０のしわ寄せを防止し、平らに昇降させるためのものである。両端には、吊下体７６１に結合されるレール溝７６５が形成される。
【００４４】
前記吊下体７６１は、両端に位置し、垂直方向に開閉可能なガイドスロット７６３が形成される。また、前記ガイドスロット７６３は、ガイド棒７６２の昇降方向に形成され、前記ガイド棒７６２のレール溝７６５の溝がガイドスロット７６３に挿入されると、前記ガイド棒７６２は、吊下体７６１のガイドスロット７６３に沿って重力方向に動く。
【００４５】
図１５は、本発明の他の実施形態に係る多重選択シェードシステムの下部ウエイト部材の概略的な斜視図である。図示のように、前記下部ウエイト部材７６０’は、逆三角形に形成され、Ｕ状のシェード要素７３０の下部に吊るされて形成される。
【００４６】
図示していないが、前記下部ウエイト部材７６０、７６０’の下部には、ソフト接触部が形成され得、前記ソフト接触部により、吊下体７６１が地面又は底構造物に当たる場合、騒音を防止し、光を遮断する。
【００４７】
本特許出願書は、大韓民国特許出願番号第２００５−００６０３９４（２００５年７月５日提出）、２００５−００６７３９４（２００５年７月２５日提出）、及び２００６−００５７８７８（２００６年６月２９日提出）に関連のある発明主題を含んでおり、これらの文書は参照文献として本特許出願書に組み込まれている。
【００４８】
以上で説明した本発明は、上述した実施形態及び添付された図面により限定されるものではなく、本発明の技術的思想を逸脱しない範囲内で様々な置換、変形及び変更が可能であることが、本発明の属する技術分野における通常の知識を有する者にとって自明である。
【図面の簡単な説明】
【００４９】
【図１】本発明に係る多重選択シェードシステムの概略的な斜視図である。
【図２】図１の多重選択シェードシステムの概略的な分解斜視図である。
【図３】（ａ）及び（ｂ）は、本発明に係る多重選択シェードシステムの概略的な左側面図及び右側面図である。
【図４】図１の多重選択シェードシステムの概略的な使用例を示す状態図である。
【図５】図１の多重選択シェードシステムの概略的な使用例を示す他の状態図である。
【図６】図１の多重選択シェードシステムの概略的な使用例を示すさらなる状態図である。
【図７】図１の多重選択シェードシステムの概略的な正面図である。
【図８】（ａ）〜（ｄ）は、本発明の第１実施形態に係る多重選択シェードシステムに対する概略的な構造及び使用状態図である。
【図９】（ａ）〜（ｄ）は、本発明の第２実施形態に係る多重選択シェードシステムに対する概略的な構造及び使用状態図である。
【図１０】（ａ）〜（ｃ）は、本発明の第３実施形態に係る多重選択シェードシステムに対する概略的な構造及び使用状態図である。
【図１１】（ａ）〜（ｄ）は、本発明の第４実施形態に係る多重選択シェードシステムに対する概略的な構造及び使用状態図である。
【図１２】本発明の第５実施形態に係る多重選択シェードシステムに対する概略的な構造及び使用状態図である。
【図１３】本発明の第６実施形態に係る多重選択シェードシステムに対する概略的な構造及び使用状態図である。
【図１４】図１３に示す多重選択シェードシステムの下部ウエイト部材の概略的な部分分解斜視図である。
【図１５】本発明の他の実施形態に係る多重選択シェードシステムの下部ウエイト部材の概略的な部分分解斜視図である。
【図１】
2008545076.tif 000003
【図２】
2008545076.tif 000004
【図３】
2008545076.tif 000005
【図４】
2008545076.tif 000006
【図５】
2008545076.tif 000007
【図６】
2008545076.tif 000008
【図７】
2008545076.tif 000009
【図８】
2008545076.tif 000010
【図９】
2008545076.tif 000011
【図１０】
2008545076.tif 000012
【図１１】
2008545076.tif 000013
【図１２】
2008545076.tif 000014
【図１３】
2008545076.tif 000015
【図１４】
2008545076.tif 000016
【図１５】
2008545076.tif 000017
【国際調査報告】
2008545076.tif 000018
2008545076.tif 000019